(57)【要約】【課題】建物の屋根や屋上に設置された緑化構造体の植物に火がついた場合に、火を堰き止めて植物の延焼を防止する緑化構造体の延焼防止構造【解決手段】植物２２が植栽された植栽層２１を有する緑化構造体１０に、植栽層２１の一部を部分的に隆起させた隆起部３１を設け、植物２２の一部に火がついた場合に、その隆起部３１で植物２２の延焼を堰き止めて、植物２２の延焼の拡大を防ぐ。【選択図】図２
2010029143.tif 000002
【特許請求の範囲】
【請求項１】
植物が植栽された植栽層を有する緑化構造体の延焼防止構造において、
前記植栽層の一部を部分的に隆起させた隆起部を設けて、該隆起部で前記植物の延焼を堰き止める構成としたことを特徴とする緑化構造体の延焼防止構造。
【請求項２】
前記隆起部は、所定高さ及び所定幅で長手方向に延在して、前記植栽層を複数の領域に区画するように設けられていることを特徴とする請求項１に記載の緑化構造体の延焼防止構造。
【請求項３】
前記隆起部は、複数本が互いに交差する方向に延在して設けられていることを特徴とする請求項２に記載の緑化構造体の延焼防止構造。
【請求項４】
前記緑化構造体は、屋根又は屋上に緑化基盤材が敷設され、該緑化基盤材の上に前記植栽層が設けられ、該植栽層の上部に前記植物が植栽された構成を有し、
前記隆起部は、前記緑化基盤材と前記植栽層との間に枕部材を介在させることによって形成されることを特徴とする請求項１から請求項３のいずれか一つに記載の緑化構造体の延焼防止構造。
【請求項５】
前記枕部材は、前記緑化基盤材の上面に沿って一直線状に延在する棒形状を有することを特徴とする請求項４に記載の緑化構造体の延焼防止構造。
【請求項６】
前記枕部材は、平坦な底面部と、上方に向かって突出する断面が円弧状の上面部とを有する蒲鉾形状を有することを特徴とする請求項５に記載の緑化構造体の延焼防止構造。
【発明の詳細な説明】
【技術分野】
【０００１】
本発明は、建物の屋根や屋上に設置された緑化構造体の延焼を防止する延焼防止構造に関する。
【背景技術】
【０００２】
近年、ヒートアイランド現象の緩和や二酸化炭素排出量の削減による地球温暖化防止の観点から、建物の屋根や屋上を植物で覆う緑化が盛んに行われている。屋根や屋上を緑化する緑化構造体は、屋根や屋上に緑化基盤材を敷き詰めて、その上面に客土層等からなる植栽層を形成し、その植栽層に芝草等の植物を植生させることによって形成されている。なお、特許文献１には、屋上緑化等の人工土壌を複数の区画に区切り、人工土壌の延焼を防止する技術が示されている。
【０００３】
【特許文献１】特開２００３−２３５３４４号公報
【発明の開示】
【発明が解決しようとする課題】
【０００４】
植物は可燃性物質であり、特に、冬季のように植物の葉茎が枯れている場合には、燃えやすい状態となっている。従って、例えば、たばこの火や花火の不始末、近隣火災による火の粉の飛来等、何らかの理由によって植物の一部に着火した場合に植物が植栽層全面に亘って延焼するおそれがある。
【０００５】
植物の延焼は、特に横風に煽られた場合に、植物の表面に沿って風上側から風下側に這うように進み、また、火の粉が飛散して隣接する風下側の領域に新たな火種が形成されて、延焼が加速度的に進行するおそれがある。従って、延焼を防ぐ手段を設けなければ、緑化構造体の植物が短時間で全焼するおそれがあり、周囲に及ぼす影響の拡大も懸念される。
【０００６】
本発明の発明者は、鋭意研究の結果、緑化構造体の植物に火がついた場合に、緑化構造体の表面の温度のみが上昇し、緑化構造体の内部は温度上昇しないことを実験により見出した。特許文献１の技術は、人工土壌の火災を想定してなされたものであり、人工土壌から上方に伸びる植物は想定していない。従って、特許文献１の技術を用いたとしても、植物の延焼を止めることは困難である。
【０００７】
本発明は、上記の点に鑑みてなされたものであり、その目的とするところは、建物の屋根や屋上に設置された緑化構造体の植物に火がついた場合に、その植物の表面に沿って這うように進む火を堰き止めて植物の延焼を効果的に防止できる緑化構造体の延焼防止構造を提供することにある。
【課題を解決するための手段】
【０００８】
本発明は、植物が植栽された植栽層を有する緑化構造体の延焼防止構造において、植栽層の一部を部分的に隆起させた隆起部を設けて、隆起部で植物の延焼を堰き止める構成としたことを特徴としている（請求項１）。本発明によれば、例えば植物の一部に着火した火が風に煽られて隆起部に到達した場合に、隆起部から風下の植物に火が移るのを防止して、植物の延焼が拡大するのを防ぐことができる。
【０００９】
そして、隆起部は、所定高さ及び所定幅で長手方向に延在して、植栽層を複数の領域に区画するように設けてもよい（請求項２）。かかる構成により、例えば植物に着火した火が風上側の領域から風下側の領域に移動するのを堰き止めることができ、延焼範囲を風上側の領域内に留めて、風下側の領域の植物が延焼するのを防ぐことができる。
【００１０】
また、隆起部は、複数本が互いに交差する方向に延在して設けられているように構成してもよい（請求項３）。かかる構成により、種々の風向きに対応することができ、植物に着火した火が風上側の領域から風下側の領域に移動するのを常に堰き止めることができる。
【００１１】
本発明の緑化構造体の延焼防止構造が有する好ましい態様の一つとして、緑化構造体は、屋根又は屋上に緑化基盤材が敷設され、その緑化基盤材の上に植栽層が設けられ、植栽層の上部に植物が植栽されて構成されており、隆起部は、緑化基盤材と植栽層との間に枕部材を介在させることによって形成されることを特徴としている（請求項４）。これによれば、緑化基盤材と植栽層との間に枕部材を介在させるだけで隆起部を形成することができる。従って、隆起部を簡単に形成することができ、延焼防止構造を有する緑化構造体を簡単に施工でき、安価に提供することができる。
【００１２】
枕部材は、緑化基盤材の上面に沿って一直線状に延在する棒形状としてもよい（請求項５）。これによれば、所定高さ及び所定幅で長手方向に延在する隆起部を簡単に形成することができる。
【００１３】
そして、枕部材は、平坦な底面部と、上方に向かって突出する断面が円弧状の上面部とを有する蒲鉾形状を有する構成としてもよい（請求項６）。枕部材を上記構成とすることによって、枕部材を緑化基盤材の上に安定して載せることができ、さらにその上の植栽層が鋭角に折曲されるのを防ぎ、滑らかに連続する曲線を描いて隆起する隆起部を形成できる。
【発明の効果】
【００１４】
本発明によれば、緑化構造体の植物に火がついた場合に、隆起部で火を堰き止めることができ、隆起部を間に介して隣接する領域の植物に火が移るのを防ぐ防火堤防の役割を果たし、植物の延焼の拡大を防ぐことができる。
【発明を実施するための最良の形態】
【００１５】
次に、図を用いて本発明の実施の形態について説明する。
図１は、本実施の形態における緑化構造体１０の延焼防止構造を説明する平面図であり、図２は、図１のＩ−Ｉ線断面矢視図である。本実施の形態では、屋上に設置された屋上緑化構造体１０の場合を例に説明する。屋上緑化構造体１０は、緑化基盤材１１と、透水シート１２と、植生マット１３と、耐根シート１４によって構成されている。
【００１６】
緑化基盤材１１は、従来の屋上緑化で用いられているものであり、素材は、軽量性と成形容易性の観点から発泡樹脂製が好ましいが、非発泡樹脂や発泡モルタルのような材料で作られていてもよい。
【００１７】
緑化基盤材１１は、図１で植生マット１３の一部を破断した部分に示されるように、平面視略矩形状をなしており、保水排水機能を備え、その上に植生マット１３を載置する形態を有している。なお、緑化基盤材１１は、本実施の形態のように複数枚の単位緑化基盤材１１を組み合わせて構成されるものに限られず、例えば一枚物であってもよい。緑化基盤材１１は、屋根上スラブＲの上面に耐根シート１４を介して平面状に敷き詰められ、屋根上スラブＲと耐根シート１４と緑化基盤材１１は、それぞれ接着剤によって固定されている。
【００１８】
透水シート１２は、好ましくは不織布によって構成されており、図２に示すように、屋根上に固定された全ての緑化基盤材１１の上面を覆うようにして緑化基盤材１１に取り付けられている。
【００１９】
植生マット１３は、客土層等からなる植栽層２１に芝草等の植物２２が植生されて一体に形成されたものであり、透水シート１２を間に介在させて緑化基盤材１１の上に載置されている。
【００２０】
植生マット１３は重量物であり、その重量により、先に取り付けた透水シート１２は下方に押しつけられ、緑化基盤材１１の支持体によって下方から支持された状態となり、透水シート１２と緑化基盤材１１との間に空間が維持されて、植物２２の根の呼吸に必要な空気が十分に確保されるようになっている。そして、緑化基盤材１１の保水用凹部に給水し、植生マット１３の植物の成長を待つ。植物２２の根は次第に成長して透水シート１２に絡みつくようになり、植生マット１３は透水シート１２と一体化して固定されるようになっている。
【００２１】
耐根シート１４は、ポリエチレン、ポリエステル、塩化ビニル等の樹脂シートであり、シート厚みは０．２〜０．３ｍｍ程度である。
【００２２】
上記した屋上緑化構造体１０には、植生マット１３の植栽層２１の一部を部分的に隆起させた隆起部３１が設けられている。隆起部３１は、植物２２の延焼を堰き止めるためのものであり、所定高さ及び所定幅で長手方向に延在して、植栽層２１を複数の領域Ｓに区画するように設けられている。例えば、複数本が互いに交差する方向に延在して設けられており、本実施の形態では、図１に示すように、互いに所定間隔をおいて屋上の縦方向（Ｘ方向）と横方向（Ｙ方向）に亘って複数本が延在し、屋上を複数の矩形領域Ｓに区画するように格子状に設けられている。
【００２３】
隆起部３１は、緑化基盤材１１と植生マット１３との間に枕部材３２を介在させることによって形成されている。枕部材３２は、発泡樹脂の成形品であり、一定断面で一直線状に延在する棒形状を有している。そして、図１に示すように、緑化基盤材１１の上面で縦方向と横方向に亘って延在するように配置されている。
【００２４】
枕部材３２は、図２に示すように、緑化基盤材１１の上面に載せられる平坦な底面部３３と、上方に向かって突出する断面が円弧状の上面部３４を有する、いわゆる蒲鉾形状を有している。従って、緑化基盤材１１の上面に安定して載せることができ、さらにその上に植生マット１３を載せた際に、植生マット１３が鋭角に折曲されることなく、滑らかに連続する曲線を描いて隆起する隆起部３１を形成できるようになっている。枕部材３２は、本実施の形態では、高低差Ｈが約３センチメートルから５センチメートルの隆起部３１を形成するように寸法形状が設定されている。
【００２５】
次に、隆起部３１の延焼防止作用及びその効果について図３を参照しつつ以下に説明する。図３は、隆起部３１の延焼防止作用を説明する模式図である。例えば、図３（ａ）に示すように、たばこＴの投げ捨てによって風上側の領域Ｓ１の植物２２に火Ｆがつき、図３（ｂ）に太矢印で示す方向から風が吹いて煽られた場合、火Ｆは、風上側の領域Ｓ１内を風下側の領域Ｓ２に向かって植物２２の表面を這うように移動し、隆起部３１の風上側斜面３１ａを登り、図３（ｃ）に示すように、隆起部３１の頂上３１ｂに到達する。
【００２６】
火Ｆは、下方から上方に向かって燃えやすく、上方から下方に向かっては燃えにくいという性質を有している。従って、隆起部３１の頂上３１ｂに到達した火Ｆは、隆起部３１の風下側斜面３１ｃを下ることはなく、隆起部３１によって火Ｆを堰き止めることができる。
【００２７】
従って、隣接する風下側の領域Ｓ２の植物２２に火Ｆが移るのを防ぐことができ、植物２２の延焼を隆起部３１で囲まれた領域Ｓ１内に留めて、延焼の拡大を防ぐことができる。従って、植物２２の延焼による周囲への影響を少なくすることができる。
【００２８】
なお、本発明は、上述の実施の形態に限定されるものではなく、本発明の趣旨を逸脱しない範囲で種々の変更が可能である。例えば、上述の実施の形態では、屋上緑化の場合を例に説明したが、屋根緑化の場合にも同様に適用することができる。
【図面の簡単な説明】
【００２９】
【図１】本実施の形態における緑化構造体の延焼防止構造を説明する平面図。
【図２】図１のＩ−Ｉ線断面矢視図
【図３】隆起部の延焼防止作用を説明する模式図である。
【符号の説明】
【００３０】
１０  屋上緑化構造体（緑化構造体）
１１  緑化基盤材
１２  透水シート
１３  植生マット
１４  耐根シート
２１  植栽層
２２  植物
３１  隆起部
３２  枕部材
３３  底面部
３４  上面部
Ｓ  領域
Ｓ１  風上側の領域
Ｓ２  風下側の領域
Ｆ  火
【図１】
2010029143.tif 000003
【図２】
2010029143.tif 000004
【図３】
2010029143.tif 000005